(57)【要約】      （修正有）【課題】洗浄用液体噴射装置において、洗浄面であるタンク内と前記噴射ノズル体（の噴射口）との距離が、前記噴射ノズル体から遠く離れる方向に振り旋回するにつれて噴射軌跡の間隔が大きくならず、タンク内の疎洗浄領域を縮小することができ、その結果、洗浄効果が高く（強く）なる機構を提供する。【解決手段】Ｘ軸周りで周回する液体送出筒部６２と、Ｙ軸周りで振り旋回する噴射ノズル体７０と、回転筒５２を介して前記液体送出筒部６２に動力を伝動する基端部伝動装置１００Ａと、回転軸５１を介して前記噴射ノズル体７０に動力を伝達する先端部伝動装置１００Ｂ等とを備える洗浄用液体噴射装置において、前記先端部伝動装置１００Ｂに備える複数の偏心ギヤ３２、３３などで構成して洗浄用液体噴射装置の不等速伝動機構Ｏとする。【選択図】図２
0003180249.tif 000002
【実用新案登録請求の範囲】
【請求項１】
洗浄対象となるタンク内に挿入される、洗浄用液体を供給する液体供給管（６０）と、前記液体供給管の内部に装備する回転軸（５１）及び回転筒（５２）で構成する二重回転体（５０）と、前記液体供給管の先端に、前記液体供給管に対して縦向き軸心周りで相対回転する液体送出筒部（６２）と、前記液体送出筒部の先端に装備する噴射ノズル体（７０）と、前記噴射ノズル体を前記液体供給管に対して縦向き軸心周りで回転駆動する基端部伝動装置（１００Ａ）と、前記噴射ノズル体を前記縦向き軸心に対して傾斜する傾斜軸心周りで回転駆動する先端部伝動装置（１００Ｂ）と、を少なくとも備え、前記噴射ノズル体を前記液体供管に対して縦向き軸心周りで周回させながら前記縦向き軸心に対して傾斜する傾斜軸心周りで振り旋回させて、前記噴射ノズル体より前記傾斜軸心に対して更に傾斜する噴射角で前記洗浄用液体を前記タンク内に向けて噴射する洗浄用液体噴射装置において、
前記噴射ノズル体（７０）を、前記回転軸（５１）を介して、前記縦向き軸心に対して傾斜する傾斜軸心周りで不等速に回転駆動する、前記先端部伝動装置（１００Ｂ）に備える洗浄用液体噴射装置の不等速伝動機構。
【請求項２】
前記不等速伝動機構が、中心を僅かにずらした貫通孔を有する複数の円形状ギヤで構成する偏心ギヤ機構又は中心に貫通孔を有する複数の非円形状ギヤで構成するオーバルギヤ機構である請求項１記載の洗浄用液体噴射装置の不等速伝動機構。
【考案の詳細な説明】
【技術分野】
【０００１】
本願考案は、洗浄用液体噴射装置の先端部伝動装置に備える不等速伝動機構に関する。
【背景技術】
【０００２】
従来の洗浄用液体噴射装置において、噴射ノズル体を振り旋回させる際の振り旋回（角）速度は、等速であった（特許文献１参照）。
【先行技術文献】
【特許文献】
【０００３】
【特許文献１】特開平６−２８５４４９号公報
【考案の概要】
【考案が解決しようとする課題】
【０００４】
上述したように、噴射ノズル体の振り旋回（角）速度が等速であると、洗浄面であるタンク内と前記噴射ノズル体（の噴射口）との距離が、前記噴射ノズル体から遠く離れる方向に振り旋回するにつれて噴射軌跡の間隔が段々と離れてしまい（大きくなってしまい）、その結果、タンク内の疎洗浄領域が拡大され、タンク内洗浄面（底面、縦側面及び上面）で洗浄効果を考えた場合に洗浄効果が低く（弱く）なってしまっていた。
【０００５】
そこで、本願考案では、洗浄面であるタンク内と前記噴射ノズル体（の噴射口）との距離が、前記噴射ノズル体から遠く離れる方向に振り旋回するにつれて噴射軌跡の間隔が大きくならず、タンク内の疎洗浄領域を縮小することができ、その結果、洗浄効果が高く（強く）なる機構を提供することを課題とした。
【課題を解決するための手段】
【０００６】
上記の課題を解決するために、本願考案では、洗浄対象となるタンク内に挿入される、洗浄用液体を供給する液体供給管と、前記液体供給管の内部に装備する回転軸及び回転筒で構成する二重回転体と、前記液体供給管の先端に、前記液体供給管に対して縦向き軸心周りで相対回転する液体送出筒部と、前記液体送出筒部の先端に装備する噴射ノズル体と、前記噴射ノズル体を前記液体供給管に対して縦向き軸心周りで回転駆動する基端部伝動装置と、前記噴射ノズル体を前記縦向き軸心に対して傾斜する傾斜軸心周りで回転駆動する先端部伝動装置と、を少なくとも備え、前記噴射ノズル体を前記液体供管に対して縦向き軸心周りで周回させながら前記縦向き軸心に対して傾斜する傾斜軸心周りで振り旋回させて、前記噴射ノズル体より前記傾斜軸心に対して更に傾斜する噴射角で前記洗浄用液体を前記タンク内に向けて噴射する洗浄用液体噴射装置において、前記噴射ノズル体を、前記回転軸を介して、前記縦向き軸心に対して傾斜する傾斜軸心周りで不等速に回転駆動する、前記先端部伝動装置に備える洗浄用液体噴射装置の不等速伝動機構（偏心ギヤ機構又はオーバルギヤ機構）を提供する。
【考案の効果】
【０００７】
先端部伝動装置に備え、傾斜軸心周りで振り旋回する前記噴射ノズル体の振り旋回（角）速度を不等速にする偏心ギヤ機構又はオーバルギヤ機構などの不等速伝動機構によって、洗浄面であるタンク内と前記噴射ノズル体（の噴射口）との距離が、前記噴射ノズル体から遠く離れる方向に振り旋回するにつれて前記噴射ノズル体の振り旋回（角）速度を徐々に遅くすることが可能となる。その結果、噴射軌跡の間隔が大きくなる割合を短縮することになり、タンク内の疎洗浄領域を縮小することができ、洗浄効果を高く（強く）することができる。
【０００８】
だ円形状のギヤ面を有するオーバルギヤ機構は、９０度回転する毎に、減速比が最大になる点と最小になる点が現れる。そこで、減速比が最小になる点を噴射ノズル体から洗浄面位置までの距離が最短になる振り旋回回転位相に設定することにより、噴射ノズル体から洗浄面位置までの距離が最短になる位置で回転速度が最も速くなり、以降噴射ノズル体から洗浄面位置までの距離が段々と長くなるのに合わせて、噴射ノズル体の振り旋回（角）速度が徐々に遅くなる作動となるので、噴射軌跡の間隔が大きくなる割合を短縮することになり、疎洗浄領域を縮小することができ、洗浄効果を高く（強く）することができる。また、偏心ギヤ機構の作動も概ね同様である。
【図面の簡単な説明】
【０００９】
【図１】図１は、液体噴射装置の全体図である。
【図２】図２は、駆動手段、伝動装置、中間軸、二重回転体、液体送出筒部、インジケータ機構を示す断面線図である。
【図３】図３は、噴射ノズル体を回転駆動する伝動装置を示す縦断正面図である。
【図４】図４は、回転軸と噴射ノズル体との連結関係を示す断面図である。
【図５】図５は、インジケータ機構の組み立て分解斜視図である。
【図６】図６は、インジケータの機能と噴射ノズル体の旋回角度の関係を示す説明図である。
【図７】図７は、偏心ギヤ機構を示す正面図である。
【図８】図８は、オーバルギヤ機構を示す正面図である。
【図９】図９は、不等速伝動機構を備えた液体噴射装置の噴射軌跡を示す図である。
【図１０】図１０は、従来の液体噴射装置の噴射軌跡を示す図である。
【考案を実施するための形態】
【００１０】
洗浄用液体噴射装置の先端部伝動装置に偏心ギヤ機構又はオーバルギヤ機構を装備して、タンク内を洗浄する。
【００１１】
洗浄用液体噴射装置（１）は、洗浄用液体供給口（Ａ）を側面にした状態の時に、縦姿勢となる液体供給管（６０）と、前記液体供給管（６０）内の軸心位置に装備される回転軸（５１）及び当該回転軸の外周を覆う回転筒（５２）で構成する二重回転体（５０）と、前記液体供給管（６０）の下端に備え前記液体供給管（６０）に対して相対回転する状態で連結される液体送出筒部（６２）と、前記液体送出筒部（６２）の最下端に相対回転する状態で取り付けられる噴射ノズル体（７０）と、前記液体供給管（６０）の上端に取り付けられる伝動装置（１００）と、前記伝動装置（１００）の上端に備えるインジケータ機構（８０）と、前記伝動装置（１００）の横側面に備え前記伝動装置（１００）を介して前記二重回転体（５０）、液体送出筒部（６２）、噴射ノズル体（７０）及びインジケータ機構（８０）に回転駆動力を付与する駆動手段（１０）などとで構成する（図１）。
【００１２】
前記駆動手段（１０）は、駆動源である電動モータ（１１）と前記電動モータ（１１）から出力を受けて減速し、下面から突出する出力軸（１２）と第１出力ギヤ（１４）を介して前記伝動装置（１００）に出力する減速ギヤボックス（１３）とで構成する（図２）。
【００１３】
前記伝動装置（１００）は、前記回転筒（５２）を介し前記液体送出筒部（６２）を回転駆動する基端部伝動装置（１００Ａ）と、前記回転軸（５１）を介し前記噴射ノズル体（７０）を回転駆動する先端部伝動装置（１００Ｂ）と、で構成する。
【００１４】
前記基端部伝動装置（１００Ａ）は、前記第１出力ギヤ（１４）と噛合し中間軸（４１）に軸支される二段式の第１中間伝動ギヤ（２１、２２）と、前記第１中間伝動ギヤの小径部（２２）と噛合する回転筒駆動ギヤ（２３）とで構成する。
【００１５】
前記先端部伝動装置（１００Ｂ）は、前記第１中間伝動ギヤの大径部（２１）の上方に設置し前記中間軸（４１）に軸支される円形状の第２中間伝動ギヤ（３２）と、前記第２中間伝動ギヤ（３２）と噛合し前記回転軸（５１）に軸支される円形状の第３中間伝動ギヤ（３３）と、前記第３中間伝動ギヤ（３３）の上方に設置し前記中間軸（４１）に軸支され前記第３中間伝動ギヤ（３３）と一体回転する第４中間伝動ギヤ（３４）と、前記第４中間伝動ギヤ（３４）と噛合し前記回転軸（５１）に軸支される二段式の第５中間伝動ギヤ（３５、３６）と、前記第５中間伝動ギヤの小径部（３６）と噛合し前記回転軸（５１）に軸着する回転軸駆動ギヤ（３７）とで構成する。
【００１６】
前記第２中間伝動ギヤ（３２）及び前記第３中間伝動ギヤ（３３）の貫通孔位置は、前記第２中間伝動ギヤ（３２）及び前記第３中間伝動ギヤ（３３）の中心から僅かにずらした位置に設けており（図７）、前記中間軸（４１）の等速回転を前記第２中間伝動ギヤ（３２）及び前記第３中間伝動ギヤ（３３）で構成する偏心ギヤ機構（Ｏ）を介することによって不等速回転にして伝動することができる。
【００１７】
また、前記第２中間伝動ギヤ（３２）及び第３中間伝動ギヤ（３３）を、貫通孔位置をずらした円形ギヤで構成する偏心ギヤ機構（Ｏ）にかえて、貫通孔位置がギヤの中心である、だ円形状ギヤ（非円形ギヤ）を使用したオーバルギヤ機構にしてもよく（図８）、貫通孔位置がギヤの中心である四角形状等のギヤを使用したオーバルギヤ機構を採用してもよい。
【００１８】
前記二重回転体（５０）は、伝動ケース（Ｂ）内から前記液体供給管（６０）内を通り、前記液体送出筒部（６２）に至る長さで垂下する前記回転軸（５１）と、前記回転軸（５１）の外側に位置する前記回転筒（５２）とで構成する。
【００１９】
前記回転筒（５２）は、前記伝動ケース（Ｂ）に滑り軸受部材によって回動自在に支持される大径噴射用液体送出筒部（５２１）と、前記大径噴射用液体送出筒部（５２１）の下端部に連結され、前記液体供給管（６０）内に位置する小径噴射用液体送出筒部（５２２）とで構成する。
【００２０】
前記小径噴射用液体送出筒部（５２２）の下端部の外周面には、円周方向の三箇所に半径方向に沿って放射状に延びる羽根板（５３）を設けてあり、この羽根板（５３）の先端を前記液体送出筒部（６２）の内周面に固着し、前記液体送出筒部（６２）を前記小径噴射用液体送出筒部（５２２）と一体回転する構成を採っている。
【００２１】
前記回転軸（５１）は、中実棒状であり前記噴射ノズル体（７０）の上方まで垂下され、前記小径噴射用液体送出筒部（５２２）の下端より更に下方に向けて延出され、その延出端において前記噴射ノズル体（７０）を回転駆動する機構である出力ベベルギヤ（５５）を設けている（図２及び図４）。
【００２２】
前記二重回転体（５０）の上端部には、前記大径噴射用液体送出筒部（５２１）に動力伝達する回転筒駆動ギヤ（２３）をその大径噴射用液体送出筒部（５２１）にビス止め固定し、前記回転筒（５２）に動力を伝動するように構成している（図２）。
【００２３】
前記噴射ノズル体（７０）は、円筒ノズル部（７２）と、その円筒ノズル部（７２）内に装備される整流部（７３）と、前記円筒ノズル部（７２）の先端噴出口に臨む位置に配置される逆円錐台形の拡散ノズル部（７４）と、環状枠（７１）と、入力ベベルギヤ（７５）と、で構成する（図４）。
【００２４】
前記円筒ノズル部（７２）の上方には、上向き面を傾斜取り付け面とする装着筒部が一体形成してあり、上向き傾斜取り付け面（７２１）に開口が形成してあり、前記液体送出筒部（６２）からの洗浄用液体を受け入れるように構成している。
【００２５】
前記液体送出筒部（６２）の下向き面も前記円筒ノズル部（７２）の上向き傾斜取り付け面（７２１）に沿う下向き傾斜取り付け面（６２１）が形成してあり、前記液体送出筒部（６２）から前記円筒ノズル部（７２）に洗浄用液体を送り出すように、前記下向き傾斜取り付け面（６２１）に開口が形成してある。
【００２６】
前記下向き傾斜取り付け面（６２１）と前記上向き傾斜取り付け面（７２１）とが重なり合うように、かつ、開口同志の位置を合わせた状態で、前記環状枠（７１）を両開口内に嵌め込み装着してある。
【００２７】
前記環状枠（７１）の液体送出筒部（６２）内に位置する部分はフランジ部になっており、このフランジ部と円筒ノズル部（７２）の上向き傾斜取り付け面（７２１）との間に、液体送出筒部（６２）の下向き傾斜取り付け面（６２１）における開口縁部を挟み込み装着している。
【００２８】
両開口に嵌め込み固定された環状枠（７１）のフランジ部に前記入力ベベルギヤ（７５）を形成し、前記出力ベベルギヤ（５５）を前記入力ベベルギヤ（７５）に噛合させ、前記回転軸（５１）で前記噴射ノズル体（７０）を前記開口の軸心（Ｙ）周りに回転すべく構成している（図４）。
【００２９】
以上のような構成によって、前記回転軸（５１）の縦向き軸心（Ｘ）周りで回転（周回）する前記液体送出筒部（６２）に対して、前記噴射ノズル体（７０）を前記液体送出筒部（６２）の下向き傾斜取り付け面（６２１）に沿ってその下向き傾斜取り付け面（６２１）の開口軸心（Ｙ）周りに回転（振り旋回）するように構成している。つまり、前記噴射ノズル体（７０）は、縦向き軸心（Ｘ）周りで周回すると同時にその縦向き軸心（Ｘ）に対して傾斜する傾斜軸心（Ｙ）周りで振り旋回する。
【００３０】
前記インジケータ機構（８０）は、前記回転軸（５１）を囲むように装備されており、上端に備える表示板（８４）と、上下二つの遊星減速機構（８２、８１）と、それらを支持する取り付け台（８７）などとで構成する（図５）。
【００３１】
前記インジケータ機構（８０）は、前記回転軸（５１）と前記回転筒（５２）との回転差（歯数差）に基づいて振り旋回する前記噴射ノズル体（７０）の振り旋回と同期することとなり、前記中間軸（４１）に軸支するインジケータ中間伝動ギヤ（８８）及び前記インジケータ中間伝動ギア（８８）と噛合するインジケータ駆動ギア（８９）を介して前記表示板（８４）に表示される（図２及び図５）。
【００３２】
以上のような構成によって、二重回転体（５０）の一方を介して液体供給筒の先端回転筒部（６２）を軸周りに周回させるとともに、他方を介して噴射ノズル体（７０）を振り旋回させる一方、両者の回転を一対の遊星ギヤ機構を介して受け、インジケータ機構（８０）に傾斜角を変えながら旋回する噴射ノズル体の垂直軸に対する傾斜角度を表示させることができる。
【００３３】
次に、図２に従い、駆動手段（１０）から回転軸（５１）及び回転筒（５２）への動力の伝動について説明する。
【００３４】
前記減速ギヤケース（１３）の出力軸（１２）に装着した前記第１出力ギヤ（１４）と前記中間軸（４１）にスプライン外篏した前記第１中間伝動ギヤの大径部（２１）とを噛合させて前記中間軸（４１）へ動力伝動するとともに、前記第１中間伝動ギヤの小径部（２２）と噛合し、前記大径噴射用液体送出筒部（５２１）に固定された前記回転筒駆動ギヤ（２３）を介して、前記回転筒（５２）を構成する前記大径噴射用液体送出筒部（５２１）に動力伝達される。
【００３５】
一方、前記中間軸（４１）に伝動された動力は、前記中間軸（４１）にスプライン外篏された前記第２中間伝動ギヤ（３２）と噛合する第３中間伝動ギア（３３）を介し、第４中間伝動ギヤ（３４）、第５中間伝動ギヤ（３５、３６）、回転軸駆動ギヤ（３７）へと動力伝動し、さらには前記回転軸（５１）に動力伝動される。
【００３６】
次に、図３及び図７に従い、不等速伝動機構が偏心ギヤ機構（Ｏ）の場合の作動について説明する。
【００３７】
駆動手段（１０）からの動力伝動を受け、前記中間軸（４１）が等速回転する。
【００３８】
前記中間軸（４１）とともに円形状の第２中間伝動ギヤ（３２）及び前記第２中間伝動ギヤ（３２）と噛合した円形状の第３中間伝動ギヤ（３３）が偏心回転をする。前記第２中間伝動ギヤ（３２）及び前記第３中間伝動ギヤ（３３）の貫通孔位置が中心から僅かにずらした位置に設けてあるからである（図７）。
【００３９】
前記第３中間伝動ギヤ（３３）が回転することにより、第４中間伝動ギヤ（３４）が前記第３中間伝動ギヤ（３３）と一体回転し、さらに、前記第４中間伝動ギヤ（３４）と噛合した二段式の第５中間伝動ギヤ（３５、３６）が回転する。
【００４０】
前記第５中間伝動ギヤ（３５、３６）が回転することにより、前記第５中間伝動ギヤの小径部（３６）と噛合した回転軸駆動ギヤ（３７）が回転し、前記回転軸（５１）に動力を伝動する。前記回転軸（５１）に動力伝動を受け、前記回転軸（５１）は不等速回転をする。
【００４１】
前記回転軸（５１）の不等速回転により、前記回転軸（５１）を介して振り旋回する前記噴射ノズル体（７０）も不等速で回転させることができる。
【００４２】
具体的には、タンク内と前記噴射ノズル体（の噴射口）との距離が、前記噴射ノズル体から一番遠く離れる回転位相（洗浄面位置）で、振り旋回（角）速度を最も遅くなるように、前記第２中間伝動ギヤ（３２）と前記第３中間伝動ギヤ（３３）との噛み合わせを設定する。
【００４３】
次に、図８及び図３に従い、不等速伝動機構がオーバルギヤ機構（Ｏ）の場合の作動について説明する。
【００４４】
だ円形状ギヤで構成するオーバルギヤ機構の場合は、図８の様に、前記第２中間伝動ギヤ（３２）及び前記第３中間伝動ギヤ（３３）は共に、だ円形状ギヤで構成する。ギヤが、だ円形の形状を呈しているので、前記第３中間伝動ギヤ（３３）の回転軸心より一番近い短径の一端（３３２）が、前記第２中間伝動ギヤ（３２）の回転軸心より一番長径の一端（３２２）と噛合するように、噛み合わせを設定する（図８）。
【００４５】
等速で回転する前記中間軸（４１）及び前記第２中間伝動ギヤ（３２）に駆動されて、前記第２中間伝動ギヤ（３２）と噛合する前記第３中間伝動ギヤ（３４）は、一回転する間に回転速度が変化する（不等速回転をする）。
【００４６】
その後の作動は、偏心ギヤ機構と同様であるので省略する。
【００４７】
なお、洗浄面（洗浄液の噴射面）がタンクの底面の場合には、図９の様な噴射軌跡となることからも疎洗浄領域が縮小され、洗浄効果の高い洗浄を実現できていることがわかる。ちなみに、不等速伝動機構を備えない従来の液体噴射装置の場合の噴射軌跡は、噴射ノズル（７０）の振り旋回（角）速度が一定であるため、図１０の様な外側に向かうほど間隔が大きくなる噴射軌跡になる。
【産業上の利用可能性】
【００４８】
本願考案は、疎洗浄領域を縮小し洗浄効果を飛躍的に向上させる洗浄用液体噴射装置の不等速伝動機構であるので産業上の利用可能性を有する。
【符号の説明】
【００４９】
１      洗浄用液体噴射装置
１０      駆動手段
１１      電動モータ
１２      出力軸
１３      減速ギヤボックス
１４      第１出力ギヤ
２１      第１中間伝動ギヤ（大径部）
２２      第１中間伝動ギヤ（小径部）
２３      回転筒駆動ギヤ
３２      第２中間伝動ギヤ
３３      第３中間伝動ギヤ
３４      第４中間伝動ギヤ
３５      第５中間伝動ギヤ（大径部）
３６      第５中間伝動ギヤ（小径部）
３７      回転軸駆動ギヤ
４１      中間軸
５０      二重回転体
５１      回転軸
５２      回転筒
５２１    大径噴射用液体送出筒部
５２２    小径噴射用液体送出筒部
５３      羽根板
５５      出力ベベルギヤ
６０      液体供給管
６２      液体送出筒部
６２１    下向き傾斜取り付け面
７０      噴射ノズル体
７１      環状枠
７２      円筒ノズル部
７２１    上向き傾斜取り付け面
７３      整流部
７４      拡散ノズル部
７５      入力ベベルギヤ
８０      インジケータ機構
８１      下遊星減速機構
８２      上遊星減速機構
８４      表示板
８７      取り付け台
８８      インジケータ中間伝動ギヤ
８９      インジケータ駆動ギヤ
１００      伝動装置
１００Ａ    基端部伝動装置
１００Ｂ    先端部伝動装置
Ａ      洗浄用液体供給口
Ｂ      伝動ケース
Ｏ      偏心ギヤ機構、オーバルギヤ機構（不等速伝動機構）
Ｔ      タンク
Ｘ      縦向き軸心
Ｙ      傾斜軸心
【図１】
0003180249.tif 000003
【図２】
0003180249.tif 000004
【図３】
0003180249.tif 000005
【図４】
0003180249.tif 000006
【図５】
0003180249.tif 000007
【図６】
0003180249.tif 000008
【図７】
0003180249.tif 000009
【図８】
0003180249.tif 000010
【図９】
0003180249.tif 000011
【図１０】
0003180249.tif 000012
【手続補正書】
【提出日】平成24年10月11日(2012.10.11)
【手続補正１】
【補正対象書類名】実用新案登録請求の範囲
【補正対象項目名】全文
【補正方法】変更
【補正の内容】
【実用新案登録請求の範囲】
【請求項１】
洗浄対象となるタンク内に挿入される、洗浄用液体を供給する液体供給管（６０）と、前記液体供給管の内部に装備する回転軸（５１）及び回転筒（５２）で構成する二重回転体（５０）と、前記液体供給管の先端に、前記液体供給管に対して縦向き軸心周りで相対回転する液体送出筒部（６２）と、前記液体送出筒部の先端に装備する噴射ノズル体（７０）と、前記噴射ノズル体を前記液体供給管に対して縦向き軸心周りで回転駆動する基端部伝動装置（１００Ａ）と、前記噴射ノズル体を前記縦向き軸心に対して傾斜する傾斜軸心周りで回転駆動する先端部伝動装置（１００Ｂ）と、を少なくとも備え、前記噴射ノズル体を前記液体供管に対して縦向き軸心周りで周回させながら前記縦向き軸心に対して傾斜する傾斜軸心周りで振り旋回させて、前記噴射ノズル体より前記傾斜軸心に対して更に傾斜する噴射角で前記洗浄用液体を前記タンク内に向けて噴射する洗浄用液体噴射装置において、
前記噴射ノズル体（７０）を、前記回転軸（５１）を介して、前記縦向き軸心に対して傾斜する傾斜軸心周りで不等速に回転駆動する、中心を僅かにずらした貫通孔を有する複数の円形状ギヤで構成する偏心ギヤ機構又は中心に貫通孔を有する複数の非円形状ギヤで構成するオーバルギヤ機構である、前記先端部伝動装置（１００Ｂ）に備える洗浄用液体噴射装置の不等速伝動機構。